Podtech/llm-jp-corpus-v4-ja_patent huggingface dataset:
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
溶融材料を搬送するための装置において、
導電性外壁部分を有する容器であって、該容器の断面が長軸Ｌａおよび短軸Ｓａを有する容器；および
前記容器の周囲で該容器に接合された金属製フランジであって、該フランジは白金含有内側環および該白金含有内側環を取り囲む最外環を含む複数の環を有し、前記白金含有内側環を取り囲む前記最外環が、本体部分およびそこから延在する電極部分を含むものであるフランジ；
を備え、
前記容器の長軸Ｌａに沿った前記最外環の本体部分の幅が、前記容器の短軸Ｓａに沿った前記最外環の本体部分の幅とは異なり、前記白金含有内側環がノッチを備えている、装置。
【請求項２】
前記最外環がニッケルを含む、請求項１記載の装置。
【請求項３】
前記金属製フランジが、前記短軸Ｓａまたは前記長軸Ｌａの一方と平行な１つの対称軸を含む、請求項１または２記載の装置。
【請求項４】
前記ノッチを除いた前記白金含有内側環の幅が実質的に変動しない、請求項１から３いずれか１項記載の装置。
【請求項５】
前記白金含有内側環が複数の白金含有環を含み、該複数の白金含有環の内の少なくとも１つの厚さが、該白金含有環の別のものの厚さと異なる、請求項１から４いずれか１項記載の装置。
【請求項６】
前記白金含有内側環が複数の白金含有環を含み、該複数の白金含有環の最外白金含有環が前記ノッチを含む、請求項１から５いずれか１項記載の装置。
【請求項７】
前記最外環の本体部分が、冷却部材の通路内で冷却流体を移送するように構成された前記冷却部材を含まない、請求項１から６いずれか１項記載の装置。
【請求項８】
ガラス板を形成するための装置において、
楕円断面形状の導電性外壁部分を有する容器；および
白金を含む第１の組成を有し、前記容器の周囲で該容器に接合された第１の環であって、楕円断面形状の外周およびノッチを有し、該ノッチが該第１の環の周りの電流密度の均一性を増加させる、第１の環と、
前記第１の環の周囲に配置され、前記第１の組成と異なる第２の組成を有する第２の環であって、本体部分およびそこから延在する電極部分を含む第２の環と、
を少なくとも含む複数の環を含む金属製フランジ；
を備え、
前記第２の環の幅が、前記容器に対する角度位置の関数として変動するものである、装置。
【請求項９】
前記装置が、収束する成形面を含む成形体をさらに備えた、請求項８記載の装置。
【請求項１０】
前記ノッチを除いた前記第１の環の幅が実質的に変動しない、請求項８または９記載の装置。
【請求項１１】
前記第１の環が複数の白金を含む環を含み、該複数の白金を含む環の内の少なくとも１つの厚さが、該複数の白金を含む環の内の別のものの厚さと異なる、請求項８から１０いずれか１項記載の装置。
【請求項１２】
前記第１の環が複数の白金を含む環を含み、該複数の白金を含む環の最外の白金を含む環が前記ノッチを含む、請求項８から１１いずれか１項記載の装置。
【請求項１３】
前記第２の環が、冷却部材の通路内で冷却流体を移送するように構成された前記冷却部材を含まない、請求項８から１２いずれか１項記載の装置。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
ＴＮＦ−α変換酵素（ＴＡＣＥ）のプロドメインを含む単離されたポリペプチドであって、前記ＴＡＣＥの触媒ドメインを欠き、かつ、前記ポリペプチドをフリン分解に対して抵抗性にする、Ｒ５８、Ｒ５６およびＫ５７からなる群から選択される部位における改変を含み、かつ、ＴＡＣＥの活性をダウンレギュレーションすることができる単離されたポリペプチド。
【請求項２】
活性成分としてポリペプチドを含み、かつ、医薬的に許容され得る担体を含む医薬組成物であって、前記ポリペプチドは、ＴＮＦ−α変換酵素（ＴＡＣＥ）のプロドメインを含み、かつ、前記ＴＡＣＥの触媒ドメインを欠き、かつ、前記ポリペプチドをフリン分解に対して抵抗性にする、Ｒ５８、Ｒ５６およびＫ５７からなる群から選択される部位における改変を含み、かつ、ＴＡＣＥの活性をダウンレギュレーションすることができる、医薬組成物。
【請求項３】
前記改変はＲ５８においてである、請求項１または２のいずれかに記載の単離されたポリペプチドまたは医薬組成物。
【請求項４】
炎症性疾患を処置することにおいて使用するためのものである、請求項１に記載の単離されたポリペプチド。
【請求項５】
細菌細胞において発現されるとき、可溶性である、請求項１に記載の単離されたポリペプチド。
【請求項６】
前記炎症性疾患は自己免疫疾患、癌又は肝炎のいずれかである、請求項４に記載の単離されたポリペプチド。
【請求項７】
前記自己免疫疾患はクローン病または関節リウマチである、請求項６に記載の単離されたポリペプチド。
【請求項８】
前記ＴＡＣＥプロドメインは、初期設定済みパラメーターを使用するＢｌａｓｔＰによって決定される場合、配列番号５に示される配列に対して少なくとも９０％相同的であるアミノ酸配列を含む、請求項１または２のいずれかに記載のポリペプチドまたは医薬組成物。
【請求項９】
前記ポリペプチドはさらに、Ｒ２１１、Ｒ２１４およびＣ１８４からなる群から選択される位置において改変を含む、請求項１または２のいずれかに記載のポリペプチドまたは医薬組成物。
【請求項１０】
５８位における前記改変は、アルギニンからアラニンへの置換である、請求項１または２のいずれかに記載のポリペプチドまたは医薬組成物。
【請求項１１】
２１１位における前記改変は、アルギニンからアラニンへの置換である、または２１４位における前記改変は、アルギニンからグリシンへの置換である、または１８４位における前記改変は、システインからアラニンへの置換である、請求項９に記載のポリペプチドまたは医薬組成物。
【請求項１２】
ＴＡＣＥの前記プロドメインは、配列番号６〜配列番号８からなる群から選択される配列を含む、請求項１または２のいずれかに記載のポリペプチドまたは医薬組成物。
【請求項１３】
ＴＡＣＥの前記プロドメインは異種ポリペプチドに結合させられている、請求項１または２のいずれかに記載のポリペプチドまたは医薬組成物。
【請求項１４】
請求項１に記載のポリペプチドをコードする単離されたポリヌクレオチド。
【請求項１５】
ＴＡＣＥプロドメインを作製する方法であって、請求項１に記載の単離されたポリペプチドを細胞において発現させ、それにより、前記ＴＡＣＥプロドメインを作製することを含む方法。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
ソース容積部から成長容積部への蒸気の輸送に適した通路手段を画定する流導管を備える、バルク気相結晶成長用装置に用いる蒸気管であって、
フローリストリクタが、前記ソース容積部と前記成長容積部の間の前記通路手段内に設けられ、
前記フローリストリクタは、ソースゾーンと成長ゾーンの間の導管の流通路を実質的に閉塞させるとともに、前記導管の概ね長手方向の中心線上に位置する実質的に断面が減少した単一の開口を設けるよう構成され、下流フローを長手方向に向ける傾向が生じるよう形成された、構成物を備え、
前記流導管が、前記フローリストリクタの下流の蒸気フローを前記導管の長手方向の中心線から逸らすよう構成された導流器を備え、
前記導流器は、前記フローリストリクタの下流に分離した拡散器となる構成物を備え、前記拡散器が、実質的に前記通路手段を閉塞させるよう、前記通路手段の断面領域にわ
たって延在し、１つ以上の開口部が設けられた平面状構成物を備える、蒸気管。
【請求項２】
前記導流器が、ピーク蒸気フローが前記導管の長手方向の中心線から逸れるよう修正された修正下流蒸気フローを生ずるよう構成され、及び／又は、前記流路に配置された、前記流導管の前記流路内に位置する構成物を備える、請求項１に記載の蒸気管。
【請求項３】
前記導流器が、蒸気フローを前記導管の長手方向の中心線から逸れるように導き若しく
は向け、及び／又は、前記導管の長手方向の中心線に沿った蒸気フローを制限する傾向を
生ずるよう構成された、構成物を備える、請求項１又は２に記載の蒸気管。
【請求項４】
前記導流器が、前記フローリストリクタの下流の蒸気フローを前記流導管の長手方向か
ら角度をなして逸れる方向に向けるよう構成された、開口を有する構成物を備える、請求
項１〜３のいずれか一に記載の蒸気管。
【請求項５】
前記導流器が、前記流導管の長手方向の中心線から離れて位置する、開口を有する構成
物を備える、請求項１〜４のいずれか一に記載の蒸気管。
【請求項６】
前記フローリストリクタがキャピラリー輸送管を備える、請求項１〜５のいずれか一に記載の蒸気管。
【請求項７】
前記拡散器が、円形若しくは他の幾何学的な形状、円環構造又は扇形等の形状を有する開口の配列のパターンを有する平面状構成物を備える、請求項１〜６のいずれか一に記載の蒸気管。
【請求項８】
前記拡散器に１つ以上の開口が設けられ、該開口は、前記フローリストリクタによって画定される前記開口と長手方向に整列しない、請求項１〜７のいずれか一に記載の蒸気管。
【請求項９】
前記拡散器に１つ以上の開口が設けられ、該開口は、前記流通路の長手方向の中心以外に設けられ、また前記流通路の長手方向の中心にはこのような開口が設けられない、請求項１〜８のいずれか一に記載の蒸気管。
【請求項１０】
バルク気相結晶成長用装置であって、
該装置は、流体連通する外囲器を備え、該外囲器は、少なくとも１つのソース容積部、少なくとも１つの成長容積部、及び前記ソース容積部と前記成長容積部の間に請求項１〜９のいずれか一に記載の流導管を含む少なくとも１つの蒸気管を備える、装置。
【請求項１１】
各ソース容積部が少なくとも１つのソースゾーンを含み、このソースゾーンに、成長容積部の成長ゾーンにおける結晶の成長に必要とされる１つ以上の元素又は化合物のソースが供給され、成長容積部は少なくとも１つの成長ゾーンを含み、使用の際、成長段階中に該成長ゾーンで結晶が成長される、請求項１０に記載の装置。
【請求項１２】
各ソースゾーン及び成長ゾーンは、個別に温度を制御するための手段が各ゾーン内に設けられており、各ゾーンが熱的に分離している、請求項１１に記載の装置。
【請求項１３】
前記流体連通する外囲器が、各ソースゾーンと成長ゾーンの間の流通路を画定し、このように画定された前記流通路又は各流通路が、ソースゾーンと成長ゾーンの間の少なくとも２箇所で直線から偏向し、例えば前記ソース容積部と前記流導管の間の接合部又はその近傍と、前記流導管と前記成長容積部の間の接合部又はその近傍において、直線から偏向する、請求項１１及び１２のいずれか一に記載の装置。
【請求項１４】
前記外囲器容積部が、ソースリム、成長リム及び第１と第２のリムを接続する交差部材を有する略Ｕ字型の管状外囲器を画定し、前記交差部材内に前記フローリストリクタ及び前記導流器が設けられた、請求項１３記載の装置。
【請求項１５】
バルク気相結晶成長のための方法であって、該方法は、
それぞれが個別の温度制御手段と連結する、ソース材料及び少なくとも１つの種結晶の少なくとも１つの貯蔵器を設ける工程と、
前記ソース容積部と前記成長容積部の間の通路手段に設けられた少なくとも１つフローリストリクタを用いて前記通路手段を画定する流導管を介してソースとシンク又は種の間で気相材料を輸送する工程、とを備え、
前記フローリストリクタが、ソースゾーンと成長ゾーンの間の導管の流通路を実質的に閉塞させるとともに、前記導管の概ね長手方向の中心線上に位置する実質的に断面が減少した単一の開口を設けるよう構成され、下流フローを長手方向に向ける傾向が生じるよう形成された、構成物を備え、
前記流導管が、前記フローリストリクタの下流の蒸気フローを前記導管の長手方向の中心線から、例えば前記導管の縁部に向けて逸らすよう構成された導流器をさらに備え、
前記導流器が、前記フローリストリクタの下流に分離した拡散器となる構成物を備え、前記拡散器が、実質的に前記通路手段を閉塞させるよう、前記通路手段の断面領域にわ
たって延在し、１つ以上の開口部が設けられた平面状構成物を備える、方法。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
薬物再燃を防止する治療に使用されるα３β４ニコチン拮抗薬であって、
薬物使用初期の後に哺乳動物に投与され、
薬物使用再燃を防止する、
α３β４ニコチン拮抗薬。
【請求項２】
刺激による誘発を原因とする薬物使用再燃を防止する治療に使用されるα３β４ニコチン拮抗薬であって、
薬物使用初期の後に哺乳動物に投与され、
刺激による誘発中に薬物使用再燃を防止する、
α３β４ニコチン拮抗薬。
【請求項３】
薬物使用再燃を防止する治療に使用されるα３β４ニコチン拮抗薬であって、
刺激による誘発中に薬物使用再燃を防止する、
α３β４ニコチン拮抗薬。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
式（Ｉ）の化合物、若しくは薬学的に許容されるその誘導体、溶媒和物、互変異性体、塩、水和物又は立体異性体（すべての割合のその混合物であってもよい）。
【化１】
2015522556.tif 000001
(I)
（式中、
Ｘは、Ｏ又はＳを表し、
Ｕは、
（ｉ）Ｃ1−Ｃ6−アルコキシ、Ｃ1−Ｃ6−アルキル、ハロゲン、ＣＮから独立に選択される１又は２個の基によって置換されていてよいフェニル環
（ｉｉ）Ｃ1−Ｃ6−アルコキシ、Ｃ1−Ｃ6−アルキル、ハロゲン、ＣＮから独立に選択される１又は２個の基によって置換されていてよい、１個の窒素原子を含み、Ｎ、Ｏ又はＳから独立に選択される２個までの追加のヘテロ原子を含んでもよい５又は６員不飽和又は芳香族複素環系、
（ｉｉｉ）１個の単結合
から選択され、
Ｔは、−ＮＲ5−、−ＮＲ5ＣＯ−、−ＣＯＮＲ5、−ＮＲ5−ＣＯ−ＮＲ5、−ＣＯ−を表し
Ｗは、
（ｉ）１〜２個のＨ原子が、フェニル環、ハロゲン、ＣＮ、ＣＦ3によって置換されていてよい直鎖又は分枝Ｃ1−Ｃ6−アルキレン、
（ｉｉ）１個のＣＨ2基が、３〜７員飽和炭素環によって置換されている直鎖又は分枝Ｃ1−Ｃ6−アルキレン、
（ｉｉｉ）１個のＣＨ2基が、
−フェニル環Ａと縮合していてもよいフェニル環、
−１若しくは２個の窒素原子を含有する５若しくは６員飽和複素環系、又は
−飽和６員炭素環と縮合していてもよく、若しくはフェニル環Ａと縮合していてもよい、Ｎ、Ｏ及びＳから独立に選択される１〜３個のヘテロ原子を含有する５員芳香族複素環系
によって置換されており、
−Ｔに結合していない別のＣＨ2基が、−Ｏ−又はＮＲ5によって置換されていてもよい
直鎖又は分枝Ｃ1−Ｃ6−アルキレン、
（ｉｖ）１個の単結合、
から選択され、
Ｒ5は、Ｈ又は直鎖若しくは分枝Ｃ1−Ｃ6−アルキルであり、
Ｒ1は、１〜６個の炭素原子を有する直鎖又は分枝アルキルを表し、
Ｒaは、Ｈ、ＣＮ、ハロゲン、１〜３個のＨ原子がハロゲンで置換されていてよい１〜６個の炭素原子を有する直鎖又は分枝アルキル、１〜３個のＨ原子がハロゲンで置換されていてよい１〜６個の炭素原子を有する直鎖又は分枝アルコキシを表し、
Ｒ2、Ｒ3、Ｒ4は、ＣＮ、ハロゲン、１〜３個のＨ原子がハロゲンで置換されていてよい１〜６個の炭素原子を有する直鎖又は分枝アルキル、１〜３個のＨ原子がハロゲンで置換されていてよい１〜６個の炭素原子を有する直鎖又は分枝アルコキシから互いに独立に選択される）
【請求項２】
Ｕが、単結合又は以下の基の一つから選択される、請求項１に記載の式（Ｉ）の化合物。
【表１】
2015522556.tif 000002
【請求項３】
Ｗが、
【化２】
2015522556.tif 000003
若しくは
【表２】
2015522556.tif 000004
から選択され、又は基Ｗ−Ａが、
【表３】
2015522556.tif 000005
を表す、請求項１又は２のいずれか１項に記載の式（Ｉ）の化合物。
【請求項４】
化合物が、以下の群から選択される、請求項１から３のいずれか１項に記載の式（Ｉ）の化合物。
【表４】
2015522556.tif 000006
2015522556.tif 000007
2015522556.tif 000008
2015522556.tif 000009
2015522556.tif 000010
2015522556.tif 000011
2015522556.tif 000012
2015522556.tif 000013
2015522556.tif 000014
2015522556.tif 000015
2015522556.tif 000016
2015522556.tif 000017
2015522556.tif 000018
2015522556.tif 000019
2015522556.tif 000020
2015522556.tif 000021
【請求項５】
請求項１に記載の式（Ｉ）の化合物、若しくは薬学的に許容されるその誘導体、溶媒和物、互変異性体、塩、水和物又は立体異性体（全ての割合のその混合物を含む）を含む医薬組成物。
【請求項６】
神経変性疾患及び関連疾患の治療又は予防における使用のための、請求項５に記載の医薬組成物。
【請求項７】
神経変性疾患が、アルツハイマー病、軽度認識障害、脳アミロイド血管症及び／又はダウン症候群から選択される、請求項６に記載の医薬組成物。
【請求項８】
（ａ）有効量の式（Ｉ）の化合物、及び／若しくは薬学的に使用できるその誘導体、溶媒和物、塩、水和物又は立体異性体（全ての割合のその混合物を含む）、並びに
（ｂ）有効量のさらなる薬剤活性成分
の別々のパックからなるキット。
【請求項９】
請求項１から４のいずれか１項に記載の式（Ｉ）の化合物の少なくとも一つを含有する医薬組成物。
【請求項１０】
炎症性疾患又は免疫障害の治療において使用される少なくとも１種のさらなる薬剤を追加的に含有する、請求項１０に記載の医薬組成物。
【請求項１１】
少なくとも１種のさらなる免疫調節剤を追加的に含有する、請求項１１に記載の医薬組成物。
【請求項１２】
以下の縮合環系の形成を含む、請求項１から４に記載の式（Ｉ）の化合物を生成するための方法。
【化３】
2015522556.tif 000022
（式中、Ｙは、ハロゲン又は保護アミノ基である）
【手続補正書】
【提出日】平成28年6月9日(2016.6.9)
【手続補正１】
【補正対象書類名】明細書
【補正対象項目名】００１５
【補正方法】変更
【補正の内容】
【００１５】
本発明の第２の態様の更なる好ましい実施の形態において、小胞体保持シグナルは、ＫＤＥＬ、ＨＤＥＬ、ＫＫＸＸ、ＫＸＫＸＸ及びＲＸＲからなる群より選択されるペプチドであり、ここでＸはいずれのアミノ酸であってもよく、好ましくは、該小胞体保持シグナルはＫＤＥＬであり、及び／又は、膜局在ペプチドは、配列番号１７のインターロイキン−２受容体の細胞外ドメイン若しくはアミノ酸同一性に基づいて全領域にわたってこれらの配列のいずれかと少なくとも９０％の相同性のある変異体である。
【手続補正２】
【補正対象書類名】明細書
【補正対象項目名】００２１
【補正方法】変更
【補正の内容】
【００２１】
本発明の第３の態様の更なる好ましい実施の形態において、小胞体保持シグナルは、ＫＤＥＬ、ＨＤＥＬ、ＫＫＸＸ、ＫＸＫＸＸ及びＲＸＲからなる群より選択されるペプチドであり、ここでＸはいずれのアミノ酸であってもよく、好ましくは、該小胞体保持シグナルはＫＤＥＬであり、及び／又は、膜局在ペプチドは、配列番号１７のインターロイキン−２受容体の細胞外ドメイン若しくはアミノ酸同一性に基づいて全領域にわたってこれらの配列のいずれかと少なくとも９０％の相同性のある変異体である。
【手続補正３】
【補正対象書類名】明細書
【補正対象項目名】００２７
【補正方法】変更
【補正の内容】
【００２７】
本発明の第４の態様の更なる好ましい実施の形態において、小胞体保持シグナルは、ＫＤＥＬ、ＨＤＥＬ、ＫＫＸＸ、ＫＸＫＸＸ及びＲＸＲからなる群より選択されるペプチドであり、ここでＸはいずれのアミノ酸であってもよく、好ましくは、該小胞体保持シグナルはＫＤＥＬであり、及び／又は、膜局在ペプチドは、配列番号１７のインターロイキン−２受容体の細胞外ドメイン若しくはアミノ酸同一性に基づいて全領域にわたってこの配列と少なくとも９０％の相同性のある変異体である。
【手続補正４】
【補正対象書類名】明細書
【補正対象項目名】００６１
【補正方法】変更
【補正の内容】
【００６１】
本発明の第２の態様の更なる好ましい実施形態において、小胞体保持シグナルは、ＫＤＥＬ、ＨＤＥＬ、ＫＫＸＸ、ＫＸＫＸＸ及びＲＸＲからなる群より選択されるペプチドであり、ここでＸはいずれのアミノ酸であってもよく、好ましくは、該小胞体保持シグナルはＫＤＥＬであり、及び／又は、膜局在ペプチドは、配列番号１７のインターロイキン−２受容体の細胞外ドメイン若しくはアミノ酸同一性に基づいて全領域にわたってこれらの配列のいずれかと少なくとも９０％の相同性のある変異体である。
【手続補正５】
【補正対象書類名】明細書
【補正対象項目名】００６７
【補正方法】変更
【補正の内容】
【００６７】
本発明の第３の態様の更なる好ましい実施形態において、小胞体保持シグナルは、ＫＤＥＬ、ＨＤＥＬ、ＫＫＸＸ、ＫＸＫＸＸ及びＲＸＲからなる群より選択されるペプチドであり、ここでＸはいずれのアミノ酸であってもよく、好ましくは、該小胞体保持シグナルはＫＤＥＬであり、及び／又は、膜局在ペプチドは、配列番号１７のインターロイキン−２受容体の細胞外ドメイン若しくはアミノ酸同一性に基づいて全領域にわたってこれらの配列のいずれかと少なくとも９０％の相同性のある変異体である。
【手続補正６】
【補正対象書類名】明細書
【補正対象項目名】００７３
【補正方法】変更
【補正の内容】
【００７３】
本発明の第４の態様の更なる好ましい実施形態において、小胞体保持シグナルは、ＫＤＥＬ、ＨＤＥＬ、ＫＫＸＸ、ＫＸＫＸＸ及びＲＸＲからなる群より選択されるペプチドであり、ここでｘはいずれのアミノ酸であってもよく、好ましくは、該小胞体保持シグナルはＫＤＥＬであり、及び／又は、膜局在ペプチドは、配列番号１７のインターロイキン−２受容体の細胞外ドメイン若しくはアミノ酸同一性に基づいて全領域にわたってこれらの配列のいずれかと少なくとも９０％の相同性のある変異体である。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
以下の式の化合物：
【化１】
2015522589.tif 000001
（式中、
Ａは、
【化２】
2015522589.tif 000002
であり、
Ｒ１は、ＣＨ３、ＣＦ３またはＦであり、
Ｒ２は、Ｈ、ＣＨ３、またはＦであり、
Ｒ３は、ＣＨ３、ＯＣＨ３、ＯＨ、Ｆであり、
Ｒ４は、ＯＨまたはＣＨ２ＯＨであり、
Ｘは、ＣＨまたはＮである）
またはその薬学的に許容可能な塩。
【請求項２】
Ａが
【化３】
2015522589.tif 000003
である、請求項１に記載の化合物または塩。
【請求項３】
Ｒ１がＣＨ３である、請求項２に記載の化合物または塩。
【請求項４】
ＸがＮである、請求項３に記載の化合物または塩。
【請求項５】
Ｒ２がＨであり、Ｒ３がＯＨである、請求項４に記載の化合物または塩。
【請求項６】
【化４】
2015522589.tif 000004
である請求項１に記載の化合物、またはその薬学的に許容可能な塩。
【請求項７】
【化５】
2015522589.tif 000005
である請求項１に記載の化合物。
【請求項８】
請求項７に記載の水和化合物。
【請求項９】
Ｘ線回折スペクトルにおいて、９．０°の回折角２θにおける実質的なピークとともに、５．８°、８．５°、９．８°、１１．６°、１１．８°、１７．５°、および２４．２°からなる群から選択される回折角２θにおける２つ以上のピークによって特徴付けられる、請求項８に記載の水和化合物。
【請求項１０】
１種以上の薬学的に許容可能な担体、希釈剤または賦形剤と組み合わせて、請求項１〜９のいずれか１項に記載の化合物またはその薬学的に許容可能な塩を含む、医薬組成物。
【手続補正２】
【補正対象書類名】明細書
【補正対象項目名】０１５２
【補正方法】変更
【補正の内容】
【０１５２】
実質的に上記の手順に従って、実施例１の化合物はヒトＥＰ４で測定して１２３±８１ｎＭ（ｎ＝８）のＩＣ５０を有する。これは、実施例１の化合物がヒト血液ＴＮＦα誘導アッセイにおいて有効なＥＰ４アンタゴニストであることを実証する。
以下に、本願の当初の特許請求の範囲に記載された発明を付記する。
［１］  以下の式の化合物：
【化１２７】
2015522589.tif 000006
（式中、
Ａは、
【化１２８】
2015522589.tif 000007
であり、
Ｒ１は、ＣＨ３、ＣＦ３またはＦであり、
Ｒ２は、Ｈ、ＣＨ３、またはＦであり、
Ｒ３は、ＣＨ３、ＯＣＨ３、ＯＨ、Ｆであり、
Ｒ４は、ＯＨまたはＣＨ２ＯＨであり、
Ｘは、ＣＨまたはＮである）
またはその薬学的に許容可能な塩。
［２］  Ａが
【化１２９】
2015522589.tif 000008
である、［１］に記載の化合物または塩。
［３］  Ｒ１がＣＨ３である、［１］または［２］に記載の化合物または塩。
［４］  ＸがＮである、［１］〜［３］のいずれかに記載の化合物または塩。
［５］  Ｒ２がＨであり、Ｒ３がＯＨである、［１］〜［４］のいずれかに記載の化合物または塩。
［６］
【化１３０】
2015522589.tif 000009
である［１］に記載の化合物、またはその薬学的に許容可能な塩。
［７］
【化１３１】
2015522589.tif 000010
である［１］に記載の化合物。
［８］  ［７］に記載の水和化合物。
［９］  Ｘ線回折スペクトルにおいて、９．０°の回折角２θにおける実質的なピークとともに、５．８°、８．５°、９．８°、１１．６°、１１．８°、１７．５°、および２４．２°からなる群から選択される回折角２θにおける２つ以上のピークによって特徴付けられる、［８］に記載の水和化合物。
［１０］  患者における骨関節炎を治療する方法であって、［１］〜［９］のいずれかに記載の化合物またはその薬学的に許容可能な塩の有効量を、そのような治療を必要とする患者に投与することを含む方法。
［１１］  患者における関節リウマチを治療する方法であって、［１］〜［９］のいずれかに記載の化合物またはその薬学的に許容可能な塩の有効量を、そのような治療を必要とする患者に投与することを含む方法。
［１２］  患者における骨関節炎または関節リウマチに関連する疼痛を治療する方法であって、［１］〜［９］のいずれかに記載の化合物またはその薬学的に許容可能な塩の有効量を、そのような治療を必要とする患者に投与することを含む方法。
［１３］  治療に使用するための［１］〜［９］のいずれかに記載の化合物またはその薬学的に許容可能な塩。
［１４］  骨関節炎の治療に使用するための［１］〜［９］のいずれかに記載の化合物またはその薬学的に許容可能な塩。
［１５］  関節リウマチの治療に使用するための［１］〜［９］のいずれかに記載の化合物またはその薬学的に許容可能な塩。
［１６］  骨関節炎または関節リウマチに関連する疼痛の治療に使用するための［１］〜［９］のいずれかに記載の化合物またはその薬学的に許容可能な塩。
［１７］  １種以上の薬学的に許容可能な担体、希釈剤または賦形剤と組み合わせて、［１］〜［９］のいずれかに記載の化合物またはその薬学的に許容可能な塩を含む、医薬組成物。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
30アミノ酸長までであり、且つ
（I）アミノ酸配列：DLKIKLRRTIEAEGIP（配列番号1；Cry26）；又は
（II）7までのアミノ酸修飾（そのそれぞれは、独立して、欠失、置換又は挿入である）を有する該アミノ酸配列（I）である、T細胞エピトープを含むバリアント配列
を含む、ポリペプチド又はその医薬上許容される塩。
【請求項２】
ポリペプチドが、1又は2のアミノ酸修飾を有する前記バリアント配列（II）を含み、該修飾又は該修飾のそれぞれが、独立して、欠失又は置換である、請求項１に記載のポリペプチド又は塩。
【請求項３】
前記置換又は前記置換のそれぞれが保存的置換である、請求項１又は２に記載のポリペプチド又は塩。
【請求項４】
前記置換又は前記置換のそれぞれが、
-  リジン若しくはアルギニンの互いの置換；
-  アスパルテート若しくはグルタメートの互いの置換、若しくはそれらのアミド誘導体、アスパラギン及びグルタミンでの置換；並びに／又は
-  グリシン、アラニン、ロイシン及びイソロイシンの互いの置換、若しくはバリンでの置換
であってよい、請求項３に記載のポリペプチド又は塩。
【請求項５】
ポリペプチドが、N末端から欠失される2までのアミノ酸及び／又はC末端から欠失される2までのアミノ酸を有する前記バリアント配列（II）を含む、請求項１〜４のいずれか一項に記載のポリペプチド又は塩。
【請求項６】
ポリペプチドが20アミノ酸長までである、請求項１〜５のいずれか一項に記載のポリペプチド又は塩。
【請求項７】
前記配列（I）が由来するタンパク質天然配列中の前記配列（I）のすぐN末端又はC末端の1〜6アミノ酸にそれぞれ対応する1〜6アミノ酸のN末端及び／又はC末端伸長を有する前記配列（I）又は（II）からなるアミノ酸配列をポリペプチドが有する、請求項１〜６の
いずれか一項に記載のポリペプチド又は塩。
【請求項８】
ポリペプチドがアミノ酸配列DLKIKLRRTIEAEGIP（配列番号1；Cry26）を有する、請求項１に記載のポリペプチド又は塩。
【請求項９】
30アミノ酸長までであり、且つ
（I）アミノ酸配列：DLKIKLRRTIEAEGIP（配列番号1；Cry26）；又は
（II）7までのアミノ酸修飾（そのそれぞれは、独立して、欠失、置換又は挿入である）
を有する該アミノ酸配列（I）である、T細胞エピトープを含むバリアント配列
を含む、ポリペプチド又はその医薬上許容される塩と、医薬上許容される担体又は希釈剤を含む、医薬製剤。
【請求項１０】
ポリペプチドが、1又は2のアミノ酸修飾を有する前記バリアント配列（II）を含み、該修飾又は該修飾のそれぞれが、独立して、欠失又は置換である、請求項９に記載の医薬製剤。
【請求項１１】
前記置換又は前記置換のそれぞれが保存的置換である、請求項９又は１０に記載の医薬製剤。
【請求項１２】
前記置換又は前記置換のそれぞれが、
-  リジン若しくはアルギニンの互いの置換；
-  アスパルテート若しくはグルタメートの互いの置換、若しくはそれらのアミド誘導体
、アスパラギン及びグルタミンでの置換；並びに／又は
-  グリシン、アラニン、ロイシン及びイソロイシンの互いの置換、若しくはバリンでの置換
であってよい、請求項１１に記載の医薬製剤。
【請求項１３】
ポリペプチドが、N末端から欠失される2までのアミノ酸及び／又はC末端から欠失され
る2までのアミノ酸を有する前記バリアント配列（II）を含む、請求項９〜１２のいずれ
か一項に記載の医薬製剤。
【請求項１４】
ポリペプチドが20アミノ酸長までである、請求項９〜１３のいずれか一項に記載の医薬製剤。
【請求項１５】
前記配列（I）が由来するタンパク質天然配列中の前記配列（I）のすぐN末端又はC末端の1〜6アミノ酸にそれぞれ対応する1〜6アミノ酸のN末端及び／又はC末端伸長を有する前記配列（I）又は（II）からなるアミノ酸配列をポリペプチドが有する、請求項９〜１４
のいずれか一項に記載の医薬製剤。
【請求項１６】
ポリペプチドがアミノ酸配列DLKIKLRRTIEAEGIP（配列番号1；Cry26）を有する、請求項９に記載の医薬製剤。
【請求項１７】
容器中シールされる、請求項９〜１６のいずれか一項に記載の医薬製剤。
【請求項１８】
医薬上許容される溶液、又は凍結乾燥物である、請求項９〜１７のいずれか一項に記載の医薬製剤。
【請求項１９】
溶液が、皮内投与、皮下投与、経口投与、経鼻投与、局所投与、舌下投与、口腔内投与又は表皮投与のために製剤化される、請求項１８に記載の医薬製剤。
【請求項２０】
溶液が、アンプル、シールされたバイアル、シリンジ、カートリッジ、フレキシブルバッグ又はガラスボトルにて提供される、請求項１８又は１９に記載の医薬製剤。
【請求項２１】
凍結乾燥物が、シールされたバイアルにて提供される、請求項１８に記載の医薬製剤。
【請求項２２】
スギ花粉及び／又はヒノキ花粉に対するアレルギーを治療又は予防する方法で使用するための、請求項１〜８のいずれか一項に記載のポリペプチド若しくは塩、又は請求項９〜２１のいずれか一項に記載の医薬製剤。
【請求項２３】
スギ花粉及び／又はヒノキ花粉に対するアレルギーを予防又は治療するための医薬を製造するための、請求項１〜８のいずれか一項で定義されたとおりのポリペプチド又は塩の使用。
【請求項２４】
T細胞が、請求項１〜８のいずれか一項で定義されたとおりのポリペプチド又は塩を認
識するかどうかのin vitroでの判定方法であって、該T細胞を該ポリペプチド又は塩と接
触させること、及び該T細胞が該ポリペプチド又は塩により刺激されるかどうかを検出す
ることを含む、方法。
【請求項２５】
個体が、スギ花粉及び／又はヒノキ花粉に対するアレルギーを有するか、又は有する危険性があるかどうかを判定するために実施される、請求項２４に記載の方法。
【請求項２６】
請求項１〜８のいずれか一項で定義されたとおりのポリペプチド又は塩を、医薬上許容される担体又は希釈剤と組み合わせることを含む、医薬製剤の調製方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
シェラックと、少なくとも１種のアルコールと、少なくとも１種の界面活性剤とを含む、ツーピース硬カプセル用の耐酸性バンド組成物。
【請求項２】
ロジンをさらに含み、ここでロジンは、組成物の総重量に対して、約２０ｗｔ％未満の量で存在する、請求項１に記載の組成物。
【請求項３】
少なくとも１種の界面活性剤は、組成物の総重量に対して、約０．１ｗｔ％から約５ｗｔ％の範囲の量で存在する、請求項１または２に記載の組成物。
【請求項４】
少なくとも１種の界面活性剤は、グリセリン脂肪酸エステル、ソルビタン脂肪酸エステル、およびこれらの混合物から選択される、請求項１〜３のいずれか１項に記載の組成物。
【請求項５】
少なくとも１種のアルコールは、組成物の総重量に対して、約１５ｗｔ％から約７０ｗｔ％の範囲の量で存在する、請求項１〜４のいずれか１項に記載の組成物。
【請求項６】
アルコールは、Ｃ２〜Ｃ６直鎖状または分枝鎖状アルコールである、請求項１〜５のいずれか１項に記載の組成物。
【請求項７】
前記アルコールは、９５％エタノールとｎ−ブチルアルコールとの混合物である、請求項１〜６のいずれか１項に記載の組成物。
【請求項８】
シェラックは、組成物の総重量に対して、約１０ｗｔ％から約６０ｗｔ％の範囲の量で存在する、請求項１〜７のいずれか１項に記載の組成物。
【請求項９】
組成物の総重量に対して、約８ｗｔ％未満の量のアンモニア水をさらに含む、請求項１〜８のいずれか１項に記載の組成物。
【請求項１０】
少なくとも１種の可塑剤をさらに含む、請求項１〜９のいずれか１項に記載の組成物。
【請求項１１】
ポリアクリレート、ポリメタクリレート、ポリビニルピロリドン、ポリ（酢酸ビニル）、様々なデンプン、アメイゾ、アミロース、およびゼインのようなトウモロコシ製品、ペクチン、アルコキシル化セルロース、ポリエステル、ポリエーテル、タンパク質、核酸、アルブミン、ゼラチン、プルラン、キチン、キトサン、寒天、デンプン、コラーゲン、デキストランおよび改変デキストラン、多糖類、ポリラクチド／ポリグリコリド、ポリアルキルシアノアクリレート、ポリアクリルアミド、ポリソルベート、ポリエチレンエーテル、ポリエチレンエステル、ポリオキシエチレン／ポリオキシプロピレンブロックポリマー、セルロース、アセトフタレート、ヒドロキシプロピルメチルセルロース、セルロースエステル、セルロースジエステル、セルローストリエステル、セルロースエーテル、セルロースエステル−エーテル、セルロースアシレート、セルロースジアシレート、セルローストリアシレート、酢酸セルロース、二酢酸セルロース、三酢酸セルロース、酢酸プロピオン酸セルロース、酢酸ブチル酸セルロース、メチルセルロース、エチルセルロース、ヒドロキシエチルセルロース、プロピルセルロース、ヒドロキシプロピルセルロース、ヒドロキシプロピルメチルセルロース（ヒプロメロース）、低置換度ヒドロキシプロピルセルロース、およびカルボキシメチルセルロース、ならびにこれらの混合物からなる群から選択される材料から形成される、ツーピース硬カプセルシェル
を含む、シールされたツーピース硬カプセルであって、
ツーピース硬カプセルが、請求項１〜１０のいずれか１項に記載の組成物でシールされ、
カプセルは、耐酸性カプセルである、
前記ツーピース硬カプセル。
【請求項１２】
乾燥シール組成物は、組成物の総重量に対して、約２０ｗｔ％から約９５ｗｔ％の範囲の量のシェラック、３５ｗｔ％未満の量のロジン、および約０．１ｗｔ％から約１０ｗｔ％の範囲の量の少なくとも１種の界面活性剤を含む、請求項１１に記載のカプセル。
【請求項１３】
医薬品、動物用医薬品、食品、および栄養補助食品のヒトまたは動物への経口投与に使用するための、請求項１１または１２に記載の、耐酸性バンドを有する耐酸性硬カプセルの使用。
【請求項１４】
シェラックと、少なくとも１種のアルコールと、少なくとも１種の界面活性剤とを含む耐酸性バンド組成物を、ツーピース硬カプセルに塗布することと、バンドされたツーピース硬カプセルを乾燥すること
とを含む、ツーピース硬カプセルをバンドする方法。
【請求項１５】
ツーピース硬カプセルを乾燥する前に、バンド組成物に滑沢剤層を塗布することをさらに含む、請求項１４に記載の方法。
【請求項１６】
方法は、バンド処理機を使用して実行される、請求項１４または１５に記載の方法。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
シャフト（４）を穴あけするための円筒形のキャリブレーションヘッド（１）にして、前記ヘッドの軸に沿って延在し外周上に均一に分散されることで、それらがキャリブレーションヘッド（１）の軸（６）を中心とした回転において１２０°の角度だけ互いから隔てられる３つの溝（２０、２１、２２）を備え、溝が、穴あけ作業中の切り屑の排出および潤滑剤の通過のために使用され、溝の各々が、位置が調節カートリッジを利用して溝内で調節される機械加工インサートを備えるキャリブレーションヘッド（１）であって、それが、ヘッド（１）の前方端部に相当する区域（２３）内でヘッドの外側表面に配置された少なくとも１つの前方ガイドパッド（３６、３７、３８）と、前記ヘッドの後方区域を画定する第２の区域（２４）内で前記ヘッド（１）の外側表面に配置される少なくとも１つの後方ガイドパッド（２５、２６、２５’）とを備え、１つ（２６）または各々の後方ガイドパッドが、前方ガイドパッドと同一の軸に沿って１つ（３７）または各々の前方ガイドパッドの後ろに配置されることを特徴とする、シャフト（４）を穴あけするための円筒形のキャリブレーションヘッド（１）。
【請求項２】
キャリブレーションヘッド（１）の前方端部を画定する区域（２３）内に位置する３つの前方ガイドパッドを備え、３つのパッド（３６、３７、３８）が、ヘッド（１）の外側表面に均一に配置されることで、それらはキャリブレーションヘッド（１）の軸（６）を中心とした回転において１２０°の角度だけ互いから隔てられることを特徴とする、請求項１に記載のシャフト（４）を穴あけするための円筒形のキャリブレーションヘッド（１）。
【請求項３】
キャリブレーションヘッド（１）の外側表面上の前方ガイドパッド（３６、３７、３８）および溝（２０、２１、２２）の位置は、キャリブレーションヘッドの円周に沿って溝に続く各々の前方ガイドパッド（３６、３７、３８）の間の角度が、キャリブレーションヘッド（１）の軸（６）を中心とした回転において６０°の角度を形成するように交互に配置されることを特徴とする、請求項２に記載のシャフト（４）を穴あけするための円筒形のキャリブレーションヘッド（１）。
【請求項４】
ヘッドの後方区域を画定する第２の区域（２４）内で前記ヘッド（１）の外側表面に配置される複数の後方ガイドパッド（２５、２６、２５’）を備え、２つの後方パッド（２５、２５’）が、ヘッド（１）の軸（６）を中心として互いに対して対称的に配置され、そのうちの少なくとも１つの後方パッド（２５’）が、前方パッド（３８）から軸方向にずらされることを特徴とする、請求項１から３のいずれか一項に記載のシャフト（４）を穴あけするための円筒形のキャリブレーションヘッド（１）。
【請求項５】
ヘッドの後方区域を画定する第２の区域（２４）内で前記ヘッド（１）の外側表面に配置される４つの後方ガイドバッド（２５、２６、２５’）を備え、２つの後方パッド（２５、２５’）が、ヘッドの軸を中心として互いに対して対称的に配置され、２つの他方の後方ガイドパッドの各々（２６）が、前方パッドの後ろに配置されることを特徴とする、請求項１から４のいずれか一項に記載のシャフト（４）を穴あけするための円筒形のキャリブレーションヘッド（１）。
【請求項６】
特定の数と厚さを有しヘッドの外側表面に配置される１セットのガイドパッド（３６、３７、３８、２５、２６、２５’）を備えることで、摩擦を最小限にしつつ最小限の潤滑剤の流れを維持することができることを特徴とする、請求項１から５のいずれか一項に記載のシャフト（４）を穴あけするための円筒形のキャリブレーションヘッド（１）。
【請求項７】
１つの溝が最終仕上げインサートを中に含み、２つの溝の各々が粗い機械加工インサートを中に含むことを特徴とする、請求項１から６のいずれか一項に記載のシャフト（４）を穴あけするための円筒形のキャリブレーションヘッド（１）。
【請求項８】
ヘッド（１）の軸（６）に対して対称的に位置決めされた２つの後方パッド（２５、２５’）の一方が、粗い機械加工インサート（３０、３５）または最終仕上げインサート（３２）から３０°のところに配置されることを特徴とする、請求項８に記載のシャフト（４）を穴あけするための円筒形のキャリブレーションヘッド（１）。
【請求項９】
各々の溝が１０％の範囲内でおおよそ２５°に等しい角度で先細にされることを特徴とする、請求項１から８のいずれか一項に記載のシャフト（４）を穴あけするための円筒形のキャリブレーションヘッド（１）。
【請求項１０】
溝が、穴あけされるべきシャフト内のキャリブレーションヘッドにおいて１５％の範囲内で１５バールの圧力の場合、１５％の範囲内で３８０Ｌ／分の潤滑剤の流れの噴射を可能にするように大きさが決められることを特徴とする、請求項１から９のいずれか一項に記載のシャフト（４）を穴あけするための円筒形のキャリブレーションヘッド（１）。
【請求項１１】
キャリブレーションヘッドの軸に沿った溝の長さが、キャリブレーションヘッドの長さの５０％を超えることを特徴とする、請求項１から１０のいずれか一項に記載のシャフト（４）を穴あけするための円筒形のキャリブレーションヘッド（１）。
【請求項１２】
各々の機械加工インサートが、調節カートリッジを利用して切刃を選択するように構成することができる３つの刃部を有することを特徴とする、請求項１から１１のいずれか一項に記載のシャフト（４）を穴あけするための円筒形のキャリブレーションヘッド（１）。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
より良好な耐久性を有する砥石車を取得するための砥石車の急速かつ均一な硬化のためのシステムであって、
ａ．砥石車の未処理試料と、
ｂ．８００−５０００ＭＨｚの周波数範囲のマイクロ波放射線を提供するマイクロ波空洞と、
ｃ．マイクロ波感受性材料から製造され、かつ前記砥石車の未処理試料のものと同一のプロファイルを有し、尚且つ表面上に小さい穴を有する、予め設計かつカスタマイズされた試料ホルダと、
ｄ．温度センサと、
ｅ．前記マイクロ波空洞内の前記試料の温度を制御する手段と、
を含むことを特徴とするシステム。
【請求項２】
前記砥石車は、樹脂結合されることを特徴とする請求項１に記載の砥石車の急速かつ均一な硬化のためのシステム。
【請求項３】
前記マイクロ波感受性材料は、グラファイトのような炭素含有材料から選択されることを特徴とする請求項１又は請求項２に記載の砥石車の急速かつ均一な硬化のためのシステム。
【請求項４】
前記マイクロ波空洞は、２４５０±５０ＭＨｚの周波数範囲のマイクロ波放射線を連続的に又はパルス方式で提供することを特徴とする請求項１に記載の砥石車の急速かつ均一な硬化のためのシステム。
【請求項５】
前記マイクロ波空洞内に置かれた前記試料の前記温度を制御する前記手段は、該温度を該砥石車の形状、サイズ、及び組成に基づいて１８０−２２０℃の範囲に維持することを特徴とする請求項１又は請求項２に記載の砥石車の急速かつ均一な硬化のためのシステム。
【請求項６】
より良好な耐久性を有する砥石車を取得するために未処理砥石車を急速かつ均一に硬化する方法であって、
ａ．硬化されることになる砥石車の未処理試料が試料ホルダにぴったりと適合するように、小さい穴を有する前記試料ホルダを調製し、該砥石車の未処理試料を該調製された試料ホルダに保持する段階と、
ｂ．前記未処理試料を有する前記試料ホルダを、８００−５０００ＭＨｚの周波数範囲のマイクロ波放射線を提供する前記マイクロ波空洞に置き、必要に応じて未処理試料をそこに有するより多くの試料ホルダを積み重ねる段階と、
ｃ．硬化のために前記マイクロ波空洞に保たれている前記試料ホルダ間に置かれた前記未処理試料に対して要求される望ましい温度を達成するために、マイクロ波エネルギを予め決められた時間にわたって配備する段階と、
ｄ．前記試料ホルダを前記硬化した砥石車と共に前記マイクロ波空洞から取り出し、該均一に硬化した砥石車を該試料ホルダから分離する段階と、
を含むことを特徴とする方法。
【請求項７】
前記未処理試料は、樹脂結合された砥石車のものであることを特徴とする請求項６に記載の砥石車を急速かつ均一に硬化する方法。
【請求項８】
前記試料ホルダは、グラファイトのような炭素含有材料から選択されることを特徴とする請求項６又は請求項７に記載の砥石車を急速かつ均一に硬化する方法。
【請求項９】
前記配備されるマイクロ波エネルギは、２４５０±５０ＭＨｚのものであることを特徴とする請求項６に記載の砥石車を急速かつ均一に硬化する方法。
【請求項１０】
グラファイトの前記試料ホルダに保たれた樹脂結合砥石車の前記未処理試料は、該砥石車の形状、サイズ、及び組成に基づいて、１８０−２２０℃の範囲で前記マイクロ波空洞において加熱されることを特徴とする請求項６乃至８のいずれか一項に記載の砥石車を急速かつ均一に硬化する方法。
【請求項１１】
直径１００ｍｍ、厚み５ｍｍ、及び穴直径１５ｍｍで重量が９０ｇであり、かつフェノール樹脂及び充填剤と混合したアルミナ結晶粒から構成された陥凹レジノイド砥石車の未処理試料が、各々２００ｇの重量の１２ｍｍ厚グラファイトサセプタ間に置かれ、かつ均一に硬化した陥凹レジノイド砥石車を取得するために９０分にわたって７００Ｗマイクロ波システムにおいて２２０℃で硬化されることを特徴とする請求項６に記載の砥石車を急速かつ均一に硬化する方法。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
一連の行または列に並べられた複数の格納場所と、
前記格納場所に隣接し、複数の行または列を含む軌道と、
前記格納場所に品目を運搬し、または前記格納場所から品目を取得する複数の車両であって、各車両が該車両をいずれかの前記格納場所との間で前記軌道に沿って駆動する車載モーターを含む複数の車両と、
各車両を個別に制御する制御装置と
を含み、
前記制御装置が、第１の格納場所から取得した第１の品目を搬送するいずれかの前記車両を制御するように構成され、
前記制御装置が、前記車両により第２の品目が取得される第２の格納場所を識別するように構成され、
前記制御装置が、前記第１の品目を受け取れる格納場所を識別するように構成され、
前記制御装置が、前記第１の品目を受け取るために識別された格納場所と前記第２の品目が位置している格納場所との間の移動距離の最小化を試みるように構成され、
前記制御装置が、前記第１の品目を受け取るために識別された格納場所に前記車両を送るように構成され、
前記制御装置が、前記車両が前記第１の品目を排出した後に、前記第２の品目が位置している格納場所に該車両を送るように構成され、
前記車両が、前記第２の品目を該車両に移送し、前記第２の品目を該車両から取り出して前記第２の品目の注文を履行できる場所に前記第２の品目を運ぶように構成された運搬管理システム。
【請求項２】
前記制御装置が、前記第１の品目を受け取れる場所を識別するときに、前記第２の場所に最も近い空き格納場所を識別する、請求項１に記載の運搬管理システム。
【請求項３】
前記制御装置が、前記第１の品目を受け取るために識別された格納場所の位置に関するデータを格納して、前記第１の品目を後で取得できるようにするように構成された、請求項１または請求項２に記載の運搬管理システム。
【請求項４】
前記第１の品目を受け取るために識別された格納場所が、前記第１の格納場所とは異なる、請求項１乃至請求項３のいずれかに記載の運搬管理システム。
【請求項５】
前記制御装置が、前記車両が前記第１の品目を受け取るために識別された格納位置に移動するときに前記軌道の一部に沿って第１の方向で移動するように該車両を制御し、
前記車両が、前記第２の格納場所に移動するときに前記軌道の前記部分に沿って前記第１の方向とは反対の第２の方向で移動するように該車両を制御するように構成された、請求項１乃至請求項３のいずれかに記載の運搬管理システム。
【請求項６】
前記車両が、該車両から前記格納場所に品目を移送する移送機構を含む、前記請求項１乃至請求項５のいずれかに記載の運搬管理システム。
【請求項７】
前記移送機構が、前記格納場所から前記車両に品目を移送できるように構成されている、請求項６に記載の運搬管理システム。
【請求項８】
複数の格納場所と、前記格納場所に隣接した軌道と、前記格納場所に品目を運搬し、または前記格納場所から品目を取得する複数の車両とを含む運搬管理システムを制御する方法であって、
第１の格納場所から取得した第１の品目を搬送するいずれかの前記車両を駆動するステップと、
前記車両により第２の品目が取得される第２の格納場所を識別するステップと、
前記第１の品目を受け取れる格納場所を識別するステップであって、前記第１の品目を受け取るために識別された格納場所と前記第２の品目が位置している格納場所との間の移動距離の最小化を試みるステップを含むステップと、
前記第１の品目を受け取るために識別された格納場所に前記車両を駆動するステップと、
前記第１の品目を受け取るために識別された格納場所に前記第１の品目を移送するステップと、
前記車両が前記第１の品目を排出した後に、前記第２の品目が位置している格納場所に前記車両を駆動するステップと、
前記第２の品目を前記車両に移送し、前記第２の品目を出力場所に運ぶステップと、
前記出力場所で前記第２の品目を前記車両から移送するステップと
を含む方法。
【請求項９】
前記第１の品目を受け取れる格納場所を識別する前記ステップが、前記第２の格納場所に最も近い空き格納場所を識別するステップを含む、請求項８に記載の方法。
【請求項１０】
前記第１の品目を受け取るために識別された格納場所の位置に関するデータを格納して、前記第１の品目を後で取得できるようにするステップを含む、請求項８または請求項９に記載の方法。
【請求項１１】
前記第１の品目を受け取るために識別された格納場所が、前記第１の格納場所とは異なる、請求項８乃至請求項１０のいずれかに記載の方法。
【請求項１２】
前記第１の品目を受け取るために識別された格納場所に前記車両を駆動する前記ステップが、前記車両が前記第１の品目を受け取るために識別された格納位置に移動するときに前記軌道の一部に沿って第１の方向で移動するように該車両を制御するステップを含み、
前記第２の品目が位置している格納場所に前記車両を駆動する前記ステップが、前記車両が前記第２の格納場所に移動するときに前記軌道の前記部分に沿って前記第１の方向とは反対の第２の方向で移動するように該車両を制御するステップを含む、請求項８乃至請求項１１のいずれかに記載の方法。
【請求項１３】
前記第１の品目を受け取るために識別された格納場所に前記車両を駆動する前記ステップが、移動方向を略水平方向から略垂直方向に変更するステップを含む、請求項８乃至請求項１２のいずれかに記載の方法。
【請求項１４】
前記車両が移動方向を前記水平方向から前記垂直方向に変更するときに、該車両の水平方向に対する全体的な向きを維持するステップを含む、請求項１３に記載の方法。
【請求項１５】
前記格納場所に前記第１の品目を移送する前記ステップが、前記車両の移送機構を作動させるステップを含む、請求項８乃至請求項１４のいずれかに記載の方法。